(57)【要約】【課題】前向きで昇り降りでき、両側手摺りあるいは片側手摺りとしても使用でき、移動がスムースに行える把持部を有する手摺りを提供する。【解決手段】基盤と支柱部と手摺り部とからなり、基盤の両側に支柱部が立設され、支柱部の上部に手摺り部を備え、基盤と支柱および手摺りを着脱可能にして両側手摺りあるいは片側手摺りとして使用でき、かつ手摺りステーと支柱との間および／または支柱とステーとの間で上下に高さ調整できるようにするとともに、基盤に移動防止手段として上り框を挟持することができる固定具と、着脱可能で伸縮自在な突っ張り棒とを取り付けることにより固定して動きを抑制することができる介護用手摺りを提供する。【選択図】図１
2012219613.tif 000002
【特許請求の範囲】
【請求項１】
基盤と、該基盤に立設される支柱部と、該支柱部の上部に取り付けられる手摺り部とからなる介護用手摺りであって、該基盤の左右両側に支柱部を立設し両側手摺りとして使用する場合は、上り框を上下に挟持することができる固定具を用いて介護用手摺りと上り框とを連結固定し、該基盤の左右どちらか一方の片側に支柱部を立設し片側手摺りとして使用する場合は、玄関の側壁下部を押圧することができる突っ張り棒を用いて固定することを特徴する固定手段を備えた介護用手摺り。
【請求項２】
前記介護用手摺りを両側手摺りとして使用する場合、基盤の左右両側に立設された支柱部と対応する上り框の位置に、上り框を上下に挟持することができる固定具を２個用いて固定することを特徴とする請求項１に記載の介護用手摺り。
【請求項３】
前記介護用手摺りを片側手摺りとして使用する場合、前記突っ張り棒と前記固定具を１個用いて固定することを特徴とする請求項１または２に記載の介護用手摺り
【請求項４】
前記固定具が、本体と、該本体に設けられている挟持受け具と、該挟持受け具を貫通して本体内に収納されているボルト体と、該ボルト体に螺合され上下に摺動する挟持体と、本体を介護用手摺りに取り付けるための連結取付具とからなることを特徴とする請求項１乃至３に記載の介護用手摺り。
【請求項５】
前記突っ張り棒が、棒状本体と、該棒状本体に間欠的またはスライド自在に取り付けられ長さ調整ができる延長部材と、該延長部材のそれぞれの先端に取り付けられるアジャスター部材とからなることを特徴とする請求項１乃至３に記載の介護用手摺り。
【請求項６】
前記延長部が、第一の延長部材と第一の延長部材よりも長い第二の延長部材とからなり、断面の形状がＬ字形状であることを特徴とする請求項５に記載の介護用手摺り。
【発明の詳細な説明】
【発明の詳細な説明】
【技術分野】
【０００１】本発明は、高齢者や身体障害者が建物内の玄関等、段差のある場所での昇り降りに適した介護用手摺りに関する。
【背景技術】
【０００２】玄関等の段差部には、老人や身体障害者の昇り降りを介助するために、壁に沿わせて昇降用の手摺りが配設されている。特許文献１（特許３１２１２７６号）に記載されたものは、前後一対の脚柱と手摺り本体からなり、前側の脚柱の下端は玄関床に当設され、後ろ側の脚柱の下端には断面Ｌ字形のブラケットを取り付けて該ブラケットを上り框に当設して固定している玄関ホール昇降用手すりである。【０００３】また、特許文献２（特開２００９−１５５９５１号）に記載されたものは、手摺り本体の下側に床面に垂下される脚柱を有する立ち上がり部を設け、床面に載置される基板に立設支持するとともに、立ち上がり部を壁に突っ張り支持している。【０００４】
【特許文献１】特許第３１２１２７６号公報
【特許文献２】特開２００９−１５５９５１号公報
【発明が解決しようとする課題】
【０００５】特許文献１に記載されたものは、上り框にビス等で固定されるため、介護保険の住宅改修には適するが、レンタルには採用されない問題がある。また、取り外した際にビスのネジ穴が残り玄関の美観が損なわれる。
特許文献２に記載されたものは、壁に突っ張り支持する突っ張り支持部が設けられているので横倒れは防止できるが、固定されていないため前後左右にズレ動く恐れがあり、使用者に不安が生じる。
【０００６】特許文献１、２に記載されたものは、いずれも片側にしか手すりがないので、片マヒの方が昇り降りする際、上段から下段へ降りるときは前向きに降りることができるが、下段から上段へ昇るときは後ろ向きになって昇ることとなる不都合が生じている。また、逆に下段から上段へ昇るときに前向きに昇ると、上段から下段へ降りるときは後ろ向きに降りることとなり、不安である。
【課題を解決するための手段】
【０００７】本発明は、従来の上記課題を解決する手段として、請求項１に記載の本発明は、基盤と、該基盤に立設される支柱部と、該支柱部の上部に取り付けられる手摺り部とからなる介護用手摺りであって、該基盤の左右両側に支柱部を立設し両側手摺りとして使用する場合は、上り框を上下に挟持することができる固定具を用いて介護用手摺りと上り框とを連結固定し、該基盤の左右どちらか一方の片側に支柱部を立設し片側手摺りとして使用する場合は、少なくとも玄関の側壁下部を押圧することができる突っ張り棒を用いて固定することを特徴する固定手段を備えた介護用手摺りである。
【０００８】請求項２に記載の本発明は、前記介護用手摺りを両側手摺りとして使用する場合、基盤の左右両側に立設された支柱部と対応する上り框の位置に、上り框を上下に挟持することができる固定具を２個用いて固定することを特徴とする請求項１に記載の介護用手摺りである
【０００９】請求項３に記載の本発明は、前記介護用手摺りを片側手摺りとして使用する場合、前記突っ張り棒と前記固定具を１個用いて固定することを特徴とする請求項１または２に記載の介護用手摺りである
【００１０】請求項１乃至３記載の発明によれば、該基盤の左右両側に支柱部を立設して両側手摺りとして使用する場合は、上り框を上下に挟持することができる固定具を１個又は複数個用いることができるが、荷重のかかる両支柱部と対応する上り框の位置に２個用いて固定することが望ましい。該固定具は、固定具に設けられている挟持受け具と挟持体とで上り框を上下に挟持して一方を固定し、他方は連結取付具を介して介護用手摺りの支柱部に該固定具を取り付け、上り框と介護用手摺りを連結固定する。該連結取付具は固定具に一体的に溶接されていてもよく、別部材で固定用ビスで固定具に取り付けられていてもよい。固定具の他方は介護用手摺りの支柱部に連結固定するのが望ましいがこれに限定されることはなく、基盤に取付連結固定するようにしてもよい。つまり連結取付具の一方は固定具と連結しており、連結固定具の他方は介護用手摺りの支柱部又は基盤と連結固定できればよい。このように２個の固定具で上り框に介護用手摺りがしっかりと固定されるので介護用手摺りが前後左右にズレルなどの動きを防止でき、転倒することもない。
【００１１】次に、該基盤の左右どちらか一方の片側に支柱部を立設する場合、即ち片側手摺りとして使用する場合は、玄関の側壁下部を押圧する突っ張り棒を用いて固定する。該突っ張り棒は、少なくとも棒状本体と延長部材とからなり、延長部材が伸縮して長さ調整を行える。長さ調整は間欠的に伸縮させて調整してもよく、スライドさせて伸縮させてもよい。延長部材の先端に取り付けられているアジャスター体が建屋玄関の下部側壁を押圧してしっかりと固定される。更に、片側の支柱部に前記固定具を１個用いて上り框に固定することが望ましい。即ち突っ張り棒と固定具１個とを用いて介護用手摺りをより一層しっかりと玄関側壁下部および上り框に固定することが望ましい。従って、介護用手摺りはズレルことなく、転倒することもない。
【００１２】請求項４に記載の本発明は、前記固定具が、本体と、該本体に設けられている挟持受け具と、該挟持受け具を貫通して本体内に収納されているボルト体と、該ボルト体に螺合され上下に摺動する挟持体と、本体を介護用手摺りに取り付けるための連結取付具とからなることを特徴とする請求項１乃至３に記載の介護用手摺りである。
【００１３】請求項４に記載の本発明によれば、ボルト体を回動させると挟持体が上下に摺動する。挟持受け具を上り框の上面に当接し、挟持体を上り框の下面に当接して挟持受け具と挟持体とで上り框を上下に挟んで固定することができる。固定具本体に取り付けられる連結取付具は、一方を固定具本体に溶接してもよく、着脱可能にネジなどで固定具本体に固定してもよい。他方は介護用手摺りの支柱部または基盤に取付けて固定する。
【００１４】請求項５記載の本発明は、前記突っ張り棒が、棒状本体と、該棒状本体に間欠的またはスライド自在に取り付けられ長さ調整ができる延長部材と、該延長部材のそれぞれの先端に取り付けられるアジャスター部材とからなることを特徴とする請求項１乃至３に記載の介護用手摺りである。
【００１５】請求項５に記載の本発明によれば、突っ張り棒は間欠的またはスライド自在に伸縮させて長さ調整ができるから、玄関の横幅に合わせてアジャスター部材を玄関の側壁に当接し、アジャスター部材を回動させて該側壁を押圧して固定する。また、突っ張り棒は介護用手摺りの基盤に着脱可能に取り付けられ、固定される。なお、突っ張り棒は筒状でポールのようなものでもよく、断面がＬ字形状の棒状体であってもよい。
【００１６】請求項６記載の本発明は、前記延長部が、第一の延長部材と第一の延長部材よりも長い第二の延長部材とからなり、断面の形状がＬ字形状であることを特徴とする請求項５に記載の介護用手摺りである。
【００１７】請求項６に記載の本発明によれば、延長部材の断面がＬ字形状であるから、仮に側壁を強く押圧して逆に圧縮力が作用して撓むとしても一定の方向に撓むから即ち上り框下部の前壁に当接する方向に撓むからより円筒状のものに比べより安定的に固定することができる。
【発明の効果】
【００１８】本発明では、高齢者の方、足腰の弱くなった方、片マヒの方、身体障害者などが手摺りに体重をかけて移動する場合であっても、介護用手摺りが前後左右にズレ動くことなく、スムースに昇り降りができ、安心して使用することができるものを使用者に提供することができる。また、両側手摺り、右用あるいは左用の片側手摺りとして使用することができ、使用者、使用場所に適したものを選択することができる。また、ビスで固定することなく使用することもできるので、取り外した後にビスのネジ穴が残り玄関の美観が損なわれることもなく、レンタルに適したものを提供することができる。さらに着脱可能にしているからコンパクトに梱包でき輸送にも便利である。
【発明を実施するための最良の形態】
【００１９】以下、本発明の一実施形態を図面に基づき説明する。図１は本発明に係る介護用手摺りの斜視図である。図２は右側面図、図３は展開図である。【００１９】図に示すように、本発明に係る介護用手摺りは、床面に載置される基盤１と、該基盤上に着脱可能に取り付けられる支柱部２と、該支柱部２の上部に着脱可能に取り付けられる手摺り部３により構成されている。基盤１には支柱受け部１１が溶接されまたはネジで着脱可能に固定され立設されている。さらに基盤１の一辺に突っ張り棒固定用台座１２が溶接されている。これらにより支柱部２を基盤１にしっかりと支持することができる。【００２０】支柱部２は、支柱２１とステー２２とアジャスター２３とからなり、基盤１の両側に一対立設されている。支柱２１は鉄製の角パイプで縦支柱２１ａと横支柱２１ｂが溶接され連結して一体化されている。ステー２２は縦支柱２１ａより一回り小さいサイズの鉄製角パイプで一面にネジ止め穴２２１が複数個間欠的に設けられている。そして、ステー２２の一端は支柱受け部１１に挿入して嵌合され、支柱受け部１１に形成されたネジ穴１１１を介してステー２２に形成されたネジ止め穴２２１に止めネジ６で固定されている。他方、ステー２２の他端は縦支柱２１ａに挿入して嵌合され、縦支柱２１ａに形成されたネジ穴２１１を介してステー２２に形成されたネジ止め穴２２１に止めネジ６で固定される。ネジ穴の位置を選択して高さ設定がおこなわれる。【００２１】上り框側の縦支柱２１ａには、一端に樹脂製脚を設けたボルトアジャスター２３が縦支柱２１ａの下部に螺合して挿入されおり、回転させて伸縮させることにより上り框の床面に当接される【００２２】手摺り部３は、手摺り本体３１と手摺りステー３２からなり、手摺り本体３１は両端に水平な把持部３１ａとその水平な把持部の一方から他方の水平な把持部に向けて曲率半径が漸増または漸減して湾曲する把持部３１ｂを有している。水平な把持部３１ａの先は下方に折曲している。
従って、通常の直線的に傾斜した把持部に比べて、湾曲した把持部は握る個所により傾斜角が異なるので、使用者が握り易いところを選択することができる。【００２３】手摺りステー３２は、ステー２２と同様に縦支柱２１ａより一回り小さいサイズの鉄製角パイプで一面にネジ止め穴２２１が複数個間欠的に設けられ、一端に鉄製の平板が溶接で一体化され台座を形成している。そして手摺り本体の裏面側からビスなどで固定され手摺り本体と一体となっている。他方、手摺りステー３２の他端は縦支柱２１ａに挿入して嵌合され、縦支柱２１ａに形成されたネジ穴２１２を介して手摺りステー３２に形成されたネジ止め穴３２１に止めネジ６で固定され、高さ設定がおこなわれる。したがって、前記と同様に手摺り部と支柱部との間で高さ調整を行うことができる。手摺り本体は木製であるが、断面楕円形状の鉄、アルミなど金属製のパイプ状のものにエラストマー製チューブを被覆したものであってもよい。【００２４】上記介護用手摺りを両側手摺りとして使用する場合、固定具４が左右両側の支柱部２の縦支柱２１ａにそれぞれ止めネジ６によって取り付けられ固定される。
図４、図５、図６に示すように、固定具４は、固定具本体４１と、該固定具本体４１に設けられている挟持受け具４２と、該挟持受け具４２を貫通して本体内に収納されているボルト体４３と、該ボルト体４３に螺合され上下に摺動する挟持体４４と、固定具本体４１を介護用手摺りに取り付けるための連結取付具４５とからなり、挟持受け具４２を上り框の上面に当接し、上り框の縦幅に合わせて挟持体４４を上り框の下面に当接し、ボルト体４３を回動させると挟持体４４が上下に摺動して上り框を挟む状態で締め付けることができる。連結取付具４５は介護用手摺りの支柱部２（縦支柱２１ａ）に取り付けられ止めネジ６によって固定することができる。従って、挟持受け具４２と挟持体４４とで上り框を挟持し、連結取付具４５で介護用手摺りと連結固定するから、介護用手摺りは上り框にしっかりと固定される。
なお、固定具４は、金属製が望ましく、なかでも鉄製が好ましい。【００２５】固定具本体４１は、筒状の鉄製角パイプの一つの側面に一端側に向かって細長い切り欠き部４１１が形成され、他端側に長方形状の挟持受け具４２が溶接して固定され、内部にボルト体４３のボルト部分４３１が収納されている。そして本体部分の上部側面に連結取付具４５が止めネジで固定されている。【００２６】ボルト体４３は、外周面にネジが切られたボルト部４３１とその一端に六角形状の頭部４３２を備える。ボルト体４３はボルト部４３１が挟持受け具４２に形成されている孔４２１を貫通して挟持体４４のネジ穴４４３と螺合している。ボルト部４３１のネジは雄ネジであり、ネジ穴４４３のネジは雌ネジである。【００２７】挟持体４４にはネジ穴４４３と側壁に溝が設けられており、固定具本体４１の細長い切り欠き部４１１に嵌合挿入されている。従って、ボルト体４３を回動させると挟持体４４は上下に摺動する。なお、挟持体４４の上り框上面と当接する面に突起を形成してもよいし滑り止め用ゴムシートを貼り付けてもよい。挟持体４４の上下に移動するストロークは１５ｃｍから３０ｃｍが好ましい。【００２８】挟持受け具４２は、長方形状の鉄板であり、固定具本体４１の上部に溶接して固定されている。そして挟持受け具４２にはボルト体４３のボルト部４３１を通す孔４２１が設けられている。挟持受け具４２の上り框下面と当接する面に突起を形成してもよいし滑り止め用ゴムシートを貼り付けてもよい。また、該孔４２１は貫通孔でもよくネジ穴であってもよい。【００２９】連結取付具４５は、鉄製の平板に支柱部２に取り付けるための縦長の長孔４５１と固定具本体４１の側壁に取り付けるための孔又はネジ穴を設けている。孔又はネジ穴を介して固定具本体４１と着脱可能にネジで固定している。【００３０】図７に示す連結取付具４５は、断面がＵ字形状であり、Ｕ字の一方の片面を固定具本体４１の側面に溶接して固定されている。Ｕ字の他方の片面には縦長の長孔４５１が形成されている。介護用手摺りの支柱部２にＵ字状の凹部を当接し、支柱部２に固定具４を縦長の長孔４５１を介して止めネジ６を用いて固定する。【００３１】次に、片側手摺りとして使用する場合、突っ張り棒５が基盤１の後方（上り框側）に形成され固定される。突っ張り棒５は、図８に示すように棒状本体５１を基盤１に溶接して固定してもよく、図１、図１０に示すように基盤１に溶接または着脱可能に取り付けられ固定されている突っ張り棒固定用台座１２に突っ張り棒本体を着脱可能に固定ネジ等で固定してもよい。【００３２】図９に示すように、突っ張り棒５は、棒状本体５１、短い延長部材５２、長い延長部材５３、アジャスター部材５４とからなり、棒状本体５１は鉄製の断面がＵ字形状チャンネル部材であり両端側に２個ずつネジ穴が設けられている。また、短い延長部材５２及び長い延長部材５３にはそれぞれ間欠的に複数個のネジ穴が設けられている。そして、棒状本体５１の一方の端部には短い延長部材５２が装着され、他方の端部には長い延長部材５３が装着されている。さらに短い延長部材５２および長い延長部材５３の先端にはアジャスター部材５４が螺合されている。【００３３】図１１に示すように、突っ張り棒５は、玄関の幅に合わせて短い延長部材５２と長い延長部材５３とを調整して組み付けネジで棒状本体５１に取り付ける。次に、アジャスター部材５４を回動させて玄関の側壁に当接し、さらに回動させ強く壁面に押し当てていく。そのとき、延長部材は軸線方向に強い圧縮力を受け、図１０に示す矢印Ｙ方向に撓む性質を有するから矢印Ｚ方向に湾曲して上り框の下部壁面を押圧するように作用して介護用手摺りをしっかりと固定することができる。【００３４】図１２は、他の突っ張り棒、即ち突っ張りポール７である。図に示すように、突っ張りポール７は鉄製角パイプであり、ポール本体７１、伸縮ポール７２、アジャスター７３とからなり、ポール本体７１の一端側には先端にアジャスター７３が螺合されている伸縮ポール７２が挿入して嵌合され、他端側にはアジャスター７３が螺合されている。そして、一面（上面側）に細長い長円状の穴が設けられており、伸縮ポール７２の長さを調整して止めネジで固定する。【００３５】片側手摺りとして使用する場合、上記のように突っ張り棒５のみでもよいがさらに上記固定具４を用いて固定すればより強く固定することができる。【００３６】以上、実施例に基づき説明したが、本発明は上記実施例に限定されるものではなく、上記の実施例では鉄製角パイプであるが丸パイプであってもよく、材質はアルミ製でもよい。【００３７】上述のように本発明は、高齢者、身体障害者、片マヒの方、足の弱い方など幅広く使用していただける介護用手摺りを提供するものである。特にレンタルに適した特徴をもつものである。
【図面の簡単な説明】
【００３８】
【図１】本発明の実施形態にかかる介護用手摺りの斜視図
【図２】本発明の実施形態にかかる介護用手摺りの右側面図
【図３】本発明の実施形態にかかる介護用手摺りの展開図
【図４】固定具の斜視図
【図５】固定具の縦断面図
【図６】固定具の使用状態図
【図７】他の固定具の斜視図
【図８】本発明の実施形態にかかる片側手摺りの斜視図
【図９】突っ張り棒の斜視図
【図１０】突っ張り棒を突っ張り棒固定用台座に固定した状態の断面図
【図１１】突っ張り棒の固定状態を示す図
【図１２】他の突っ張り棒の正図図
【符号の説明】
【００３９】１        基盤
１１      支柱受け部
１２      突っ張り棒固定用台座
２        支柱部
２１      支柱
２１ａ    縦支柱
２１ｂ    横支柱
２２      ステー
２３      アジャスター
３        手摺り部
３１      手摺り本体
３２      手摺りステー
４        固定具
４１      固定具本体
４２      挟持受け具
４３      ボルト体
４４      挟持体
４５      連結取付具
５        突っ張り棒
５１      棒状本体
５２      短い延長部材
５３      長い延長部材
５４      アジャスター部材
６        止めネジ
１１１、２１１、２１２  ネジ穴
２２１、３２１    ネジ止め穴
【図１】
2012219613.tif 000003
【図２】
2012219613.tif 000004
【図３】
2012219613.tif 000005
【図４】
2012219613.tif 000006
【図５】
2012219613.tif 000007
【図６】
2012219613.tif 000008
【図７】
2012219613.tif 000009
【図８】
2012219613.tif 000010
【図９】
2012219613.tif 000011
【図１０】
2012219613.tif 000012
【図１１】
2012219613.tif 000013
【図１２】
2012219613.tif 000014